(57)【要約】【課題】受信感度の低下を抑制することができる高周波フロントエンド回路等を提供する。【解決手段】高周波フロントエンド回路１は、送信回路１０と受信回路２０とを備え、同時に送受信を行う。送信回路１０は、送信周波数帯域の信号を通過させる送信フィルタ１５を備え、受信回路２０は、送信周波数帯域と異なる受信周波数帯域の信号を通過させる受信フィルタ２５と、受信フィルタ２５から出力された信号を入力して増幅するＬＮＡ２８と、受信フィルタ２５とＬＮＡ２８との間に接続されたフィルタ回路２７とを備える。そして、フィルタ回路２７は、ＬＮＡ２８に入力される信号のうち、送信周波数帯域の中心周波数Ｆ１と受信周波数帯域の中心周波数Ｆ２との差を示す周波数ΔＦの信号を減衰させる。【選択図】図３
2019029700.tif 000002
【特許請求の範囲】
【請求項１】
送信回路と受信回路とを備え、同時に送受信を行う高周波フロントエンド回路であって、
前記送信回路は、送信周波数帯域の信号を通過させる送信フィルタを備え、
前記受信回路は、前記送信周波数帯域と異なる受信周波数帯域の信号を通過させる受信フィルタと、前記受信フィルタから出力された信号を入力して増幅する低雑音増幅器と、前記受信フィルタと前記低雑音増幅器との間に接続されたフィルタ回路とを備え、
前記フィルタ回路は、前記低雑音増幅器に入力される信号のうち、前記送信周波数帯域の中心周波数と前記受信周波数帯域の中心周波数との差を示す周波数の信号を減衰させる
高周波フロントエンド回路。
【請求項２】
前記フィルタ回路は、第１のインダクタを有するＬＣ直列共振回路であり、
前記ＬＣ直列共振回路の一方端は、前記受信フィルタと前記低雑音増幅器との間の経路に接続され、他方端は、グランドに接続されている
請求項１に記載の高周波フロントエンド回路。
【請求項３】
前記フィルタ回路は、第１のインダクタを有するＬＣ並列共振回路であり、
前記ＬＣ並列共振回路は、前記受信フィルタと前記低雑音増幅器との間の経路に設けられる
請求項１に記載の高周波フロントエンド回路。
【請求項４】
前記フィルタ回路の前記一方端は、前記低雑音増幅器の入力端子に直接接続されている
請求項２または３に記載の高周波フロントエンド回路。
【請求項５】
前記送信回路は、さらに、所定の高周波信号を増幅して前記送信フィルタに出力する電力増幅器を備える
請求項１〜４のいずれか１項に記載の高周波フロントエンド回路。
【請求項６】
前記高周波フロントエンド回路は、前記送信周波数帯域と前記受信周波数帯域とを含む所定の周波数帯域にて使用される
請求項１〜５のいずれか１項に記載の高周波フロントエンド回路。
【請求項７】
さらに、前記受信フィルタと前記低雑音増幅器との間に、第２のインダクタを有する整合回路を備え、
前記フィルタ回路の前記一方端は、前記整合回路と前記低雑音増幅器との間に接続されている
請求項２〜６のいずれか１項に記載の高周波フロントエンド回路。
【請求項８】
前記第１のインダクタおよび前記第２のインダクタのそれぞれは巻回軸を有し、
前記第１のインダクタおよび前記第２のインダクタは、それぞれの前記巻回軸が交差するように配置されている
請求項７に記載の高周波フロントエンド回路。
【請求項９】
高周波信号を処理する信号処理回路と、
請求項１〜８のいずれか１項に記載の高周波フロントエンド回路と
を備える通信装置。
【発明の詳細な説明】
【技術分野】
【０００１】
本発明は、受信回路と送信回路とを備える高周波フロントエンド回路、および、この高周波フロントエンド回路を備える通信装置に関する。
【背景技術】
【０００２】
携帯電話等の通信機器には、送信信号を出力する送信回路と受信信号を入力する受信回路とを備える高周波フロントエンド回路が設けられる。高周波フロントエンド回路の受信回路には、例えば、受信フィルタおよびＬＮＡ(ローノイズアンプ)が設けられる(特許文献１参照)。
【０００３】
この種の高周波フロントエンド回路では、送受信が同時に行われる場合、送信回路から出力された送信信号がアンテナ素子だけでなく受信回路にも伝わり、受信フィルタを漏洩してＬＮＡに入力される。それに対し、特許文献１の高周波フロントエンド回路では、受信フィルタとＬＮＡとの間にノッチフィルタを設けることで、送信信号の漏洩成分を低減させている。
【先行技術文献】
【特許文献】
【０００４】
【特許文献１】特開２０１３−２４７６０５号公報
【発明の概要】
【発明が解決しようとする課題】
【０００５】
しかしながら、特許文献１に記載されている高周波フロントエンド回路では、ノッチフィルタによって、送信信号の漏洩成分だけではなく受信フィルタを通過した受信信号まで減衰させてしまい、受信感度を低下させるという問題がある。
【０００６】
そこで、本発明は、アイソレーション特性を確保しつつ、受信感度の低下を抑制することができる高周波フロントエンド回路等を提供することを目的とする。
【課題を解決するための手段】
【０００７】
上記目的を達成するために、本発明の一態様に係る高周波フロントエンド回路は、送信回路と受信回路とを備え、同時に送受信を行う高周波フロントエンド回路であって、前記送信回路は、送信周波数帯域の信号を通過させる送信フィルタを備え、前記受信回路は、前記送信周波数帯域と異なる受信周波数帯域の信号を通過させる受信フィルタと、前記受信フィルタから出力された信号を入力して増幅する低雑音増幅器と、前記受信フィルタと前記低雑音増幅器との間に接続されたフィルタ回路とを備え、前記フィルタ回路は、前記低雑音増幅器に入力される信号のうち、前記送信周波数帯域の中心周波数と前記受信周波数帯域の中心周波数との差を示す周波数の信号を減衰させる。
【０００８】
このように、低雑音増幅器に入力される信号のうち、送信周波数帯域の中心周波数と受信周波数帯域の中心周波数との差を示す周波数（差周波数）に対応する信号を減衰させることで、低雑音増幅器から出力される相互変調歪の一部を低減することができる。これにより、受信信号に相互変調歪が重なることを抑制し、高周波フロントエンド回路における受信感度の低下を抑制することができる。
【０００９】
また、前記フィルタ回路は、第１のインダクタを有するＬＣ直列共振回路であり、前記ＬＣ直列共振回路の一方端は、前記受信フィルタと前記低雑音増幅器との間の経路に接続され、他方端は、グランドに接続されていてもよい。
【００１０】
このように、フィルタ回路としてＬＣ直列共振回路を用いることで、簡易な回路構造で差周波数を減衰させることができる。これにより、高周波フロントエンド回路における受信感度の低下を抑制することができる。
【００１１】
また、前記フィルタ回路は、第１のインダクタを有するＬＣ並列共振回路であり、前記ＬＣ並列共振回路は、前記受信フィルタと前記低雑音増幅器との間の経路に設けられていてもよい。
【００１２】
このように、フィルタ回路としてＬＣ並列共振回路を用いることで、簡易な回路構造で差周波数を減衰させることができる。これにより、高周波フロントエンド回路における受信感度の低下を抑制することができる。
【００１３】
また、前記フィルタ回路の前記一方端は、前記低雑音増幅器の入力端子に直接接続されていてもよい。
【００１４】
これによれば、低雑音増幅器に入力される直前の信号に対して差周波数の信号を減衰させることができる。これにより、高周波フロントエンド回路における受信感度の低下を抑制することができる。
【００１５】
また、前記送信回路は、さらに、所定の高周波信号を増幅して前記送信フィルタに出力する電力増幅器を備えていてもよい。
【００１６】
これによれば、増幅された送信信号が受信回路に入力される場合であっても、高周波フロントエンド回路の受信感度の低下を抑制することができる。
【００１７】
また、前記高周波フロントエンド回路は、前記送信周波数帯域と前記受信周波数帯域とを含む所定の周波数帯域にて使用されてもよい。
【００１８】
これによれば、送信周波数帯域と受信周波数帯域とを含む周波数帯域において、高周波フロントエンド回路の受信感度の低下を抑制することができる。
【００１９】
さらに、前記受信フィルタと前記低雑音増幅器との間に、第２のインダクタを有する整合回路を備え、前記フィルタ回路の前記一方端は、前記整合回路と前記低雑音増幅器との間に接続されていてもよい。
【００２０】
これによれば、受信フィルタと低雑音増幅器とインピーダンスを整合することができる。これにより、高周波フロントエンド回路における受信感度を向上することができる。
【００２１】
また、前記第１のインダクタおよび前記第２のインダクタのそれぞれは巻回軸を有し、前記第１のインダクタおよび前記第２のインダクタは、それぞれの前記巻回軸が交差するように配置されていてもよい。
【００２２】
これによれば、第１のインダクタおよび第２のインダクタの間の電磁界結合に起因する信号の漏れを抑制することができ、高周波フロントエンド回路の受信感度の低下を抑制することができる。
【００２３】
本発明の一態様に係る通信装置は、高周波信号を処理する信号処理回路と、上記高周波フロントエンド回路とを備える。
【００２４】
これによれば、通信装置における受信感度の低下を抑制することができる。
【発明の効果】
【００２５】
本発明の高周波フロントエンド回路等は、アイソレーション特性を確保しつつ、受信感度の低下を抑制することができる。
【図面の簡単な説明】
【００２６】
【図１】比較例の高周波フロントエンド回路の機能ブロック構成図である。
【図２】比較例の高周波フロントエンド回路における周波数スペクトルを示す模式図である。
【図３】実施の形態に係る高周波フロントエンド回路および通信装置の機能ブロック構成図である。
【図４】実施の形態に係る高周波フロントエンド回路における周波数スペクトルを示す模式図である。
【図５】実施の形態の高周波フロントエンド回路における低周波ノイズ、相互変調歪および差周波数の関係の一例を示す模式図である。
【図６】実施の形態の変形例１に係る高周波フロントエンド回路の機能ブロック構成図である。
【発明を実施するための形態】
【００２７】
（従来の問題点および本発明の目的）
まず、比較例の高周波フロントエンド回路１０１を例に挙げ、従来の問題点について説明する。図１は、比較例の高周波フロントエンド回路１０１の機能ブロック構成図である。
【００２８】
比較例の高周波フロントエンド回路１０１は、送信回路１１０と受信回路１２０とを備えている。送信回路１１０は、送信信号を増幅する電力増幅器（ＰＡ：power  Amplifier）１１と、増幅された信号のうち送信周波数帯域の信号を通過させる送信フィルタ１５とを備えている。受信回路１２０は、受信周波数帯域の信号を通過させる受信フィルタ２５と、受信フィルタ２５を通過した信号を増幅する低雑音増幅器（ＬＮＡ：Low  Noise  Amplifier）２８とを備えている。
【００２９】
高周波フロントエンド回路１０１では、送信回路１１０から出力された送信信号がアンテナ素子２だけでなく受信回路１２０にも伝わり、この送信信号の一部が受信フィルタ２５を漏洩してＬＮＡ２８に入力される。
【００３０】
ここで、図２を参照しつつ、高周波フロントエンド回路１０１の各経路にて検出される信号またはノイズについて説明する。図２は、比較例の高周波フロントエンド回路１０１における周波数スペクトルを示す模式図である。
【００３１】
図２の（ａ）は、送信フィルタ１５の出力側の定点ａにて検出される周波数スペクトルである。定点ａでは、送信フィルタ１５から出力された送信信号Ｔ１と、サーマルノイズ（熱雑音）およびＰＡ１１にて発生するノイズを含むブロードノイズＮ１と、バイアスノイズ、スイッチングノイズおよびクロックハーモニックノイズなどを含む低周波ノイズＮ２とが検出される。ブロードノイズＮ１は、高周波フロントエンド回路１０１の使用周波数帯域にてほぼ一定の振幅で表れるノイズである。低周波ノイズＮ２は、電子機器にて発生する非線形のノイズであり、送信信号Ｔ１よりも低周波数側に表れる。
【００３２】
図２の（ｂ）は、受信フィルタ２５とＬＮＡ２８との間の定点ｂにて検出される周波数スペクトルである。定点ｂでは、アンテナ素子２で受信した信号が受信フィルタ２５を通過して受信信号Ｒ１として検出される。また、送信回路１１０から出力された送信信号Ｔ１が、アンテナ素子２だけでなく受信回路１２０にも伝わり、この送信信号Ｔ１の一部が受信フィルタ２５を漏洩して、漏洩信号Ｔ１ａとして検出される。また、定点ｂでは、前述したブロードノイズＮ１および低周波ノイズＮ２も検出される。ＬＮＡ２８には、受信信号Ｒ１が入力され、漏洩信号Ｔ１ａ、低周波ノイズＮ２およびブロードノイズＮ１も入力される。
【００３３】
図２の（ｃ）は、ＬＮＡ２８の出力側の定点ｃにて検出される周波数スペクトルである。定点ｃでは、ＬＮＡ２８によって増幅された受信信号Ｒ１および漏洩信号Ｔ１ａ、ならびに、低周波ノイズＮ２およびブロードノイズＮ１が検出される。さらに、非線形素子であるＬＮＡ２８に低周波ノイズＮ２および漏洩信号Ｔ１ａが入力されることで、ＬＮＡ２８の出力側である定点ｃには、低周波ノイズＮ２および漏洩信号Ｔ１ａを起因とする相互変調歪ＩＭＤ（Intermodulation  Distortion）が検出される。従来の高周波フロントエンド回路１０１では、この相互変調歪ＩＭＤの一部が受信信号Ｒ１に重なり、受信感度が低下するという問題が起きる。
【００３４】
本実施の形態に係る高周波フロントエンド回路では、ＬＮＡ２８に入力される低周波ノイズＮ２の一部を予め減衰させることで（図４の（ｂ）参照）、ＬＮＡ２８から出力される相互変調歪ＩＭＤのうち、受信信号Ｒ１の周波数と重なる相互変調歪ＩＭＤの振幅を小さくする（図４の（ｃ）参照）回路構成を有している。これにより、高周波フロントエンド回路において受信感度が低下することを抑制している。
【００３５】
以下、本発明の実施の形態について、実施の形態および図面を用いて詳細に説明する。なお、以下で説明する実施の形態は、いずれも包括的または具体的な例を示すものである。以下の実施の形態で示される数値、形状、材料、構成要素、構成要素の配置および接続形態などは、一例であり、本発明を限定する主旨ではない。以下の実施の形態における構成要素のうち、独立請求項に記載されていない構成要素については、任意の構成要素として説明される。また、図面に示される構成要素の大きさまたは大きさの比は、必ずしも厳密ではない。
【００３６】
（実施の形態）
本実施形態に係る高周波フロントエンド回路１は、例えば、携帯電話のフロントエンド部に配置される。高周波フロントエンド回路１は、例えば、ＬＴＥ（Long  Term  Evolution）規格の高周波信号（７００ＭＨｚ〜２７００ＭＨｚの信号）を送受信する回路である。
【００３７】
図３は、高周波フロントエンド回路１の機能ブロック構成図である。なお、同図には、通信装置９とアンテナ素子２とが示されている。
【００３８】
通信装置９は、高周波フロントエンド回路１と、ＲＦ信号処理回路（ＲＦＩＣ）３と、ベースバンド信号処理回路（ＢＢＩＣ）４とを備える。
【００３９】
ＲＦ信号処理回路３は、例えば、ＲＦＩＣ（Ｒａｄｉｏ  Ｆｒｅｑｕｅｎｃｙ  Ｉｎｔｅｇｒａｔｅｄ  Ｃｉｒｃｕｉｔ）である。ＲＦ信号処理回路３は、ベースバンド信号処理回路４から入力された送信信号をアップコンバートなどにより信号処理し、当該信号処理して生成された高周波送信信号をＰＡ（電力増幅器）１１へ出力する。また、ＲＦ信号処理回路３は、アンテナ素子２から受信側信号経路を介して入力された高周波受信信号を、ダウンコンバートなどにより信号処理し、当該信号処理して生成された受信信号をベースバンド信号処理回路４へ出力する。
【００４０】
ベースバンド信号処理回路４は、高周波フロントエンド回路１における高周波信号よりも低周波の中間周波数帯域を用いて信号処理する回路である。
【００４１】
高周波フロントエンド回路１は、送信回路１０および受信回路２０を備える。送信回路１０および受信回路２０のそれぞれは、アンテナスイッチ５の同じ選択端子に接続されている。アンテナスイッチ５の共通端子には、アンテナ素子２が接続されている。本実施の形態の高周波フロントエンド回路１は、送信回路１０および受信回路２０を用いて送受信を同時に行う回路構成を有している。
【００４２】
送信回路１０は、ＰＡ１１と、送信フィルタ１５とを備えている。
【００４３】
ＰＡ１１は、ＲＦ信号処理回路３から出力された所定の高周波送信信号を増幅し、送信フィルタ１５に出力する。
【００４４】
送信フィルタ１５は、ＰＡ１１から出力された高周波信号のうち、送信周波数帯域の信号をフィルタリングして通過させる。送信フィルタ１５から出力された送信信号Ｔ１は、アンテナスイッチ５を介してアンテナ素子２へ出力される。送信フィルタ１５は、例えばＳＡＷ（Surface  Acoustic  Wave）フィルタである。
【００４５】
送信回路１０のＰＡ１１と送信フィルタ１５との間には、バンドスイッチ１２が設けられている。送信回路１０は、例えば回路内に複数の送信フィルタ１５が設けられ、バンドスイッチ１２の切り替えによって複数の異なる周波数帯域の信号を送信するように構成されていてもよい。
【００４６】
受信回路２０は、受信フィルタ２５と、ＬＮＡ（低雑音増幅器）２８と、フィルタ回路２７とを備えている。また、受信回路２０は整合回路２６を備えている。
【００４７】
受信フィルタ２５は、アンテナ素子２およびアンテナスイッチ５を介して入力された高周波信号のうち、受信周波数帯域の信号をフィルタリングして通過させる。受信フィルタ２５は、例えばＳＡＷフィルタである。受信フィルタ２５から出力された受信信号Ｒ１は、整合回路２６を介してＬＮＡ２８へ出力される。
【００４８】
受信回路２０の受信周波数帯域は、送信回路１０の送信周波数帯域よりも高く設定され、受信周波数帯域の中心周波数Ｆ２および送信周波数帯域の中心周波数Ｆ１は、Ｆ１＜Ｆ２＜（１．３×Ｆ１）の関係を有している。例えば、送信周波数帯域は７０４ＭＨｚ以上７１６ＭＨｚ以下であり、受信周波数帯域は７３４ＭＨｚ以上７４６ＭＨｚ以下である。高周波フロントエンド回路１は、これら送信周波数帯域と受信周波数帯域とを含む所定の周波数帯域（例えばＢａｎｄ１７）にて使用される。
【００４９】
整合回路２６は、受信フィルタ２５とＬＮＡ２８とを結ぶ経路上に設けられている。整合回路２６は、受信フィルタ２５とＬＮＡ２８とのインピーダンスを整合する回路であり、例えば、キャパシタおよび第２のインダクタ（図示省略）を有している。
【００５０】
ＬＮＡ２８は、整合回路２６を介して受信フィルタ２５から出力された高周波信号を入力し、また、入力された信号を増幅してＲＦ信号処理回路３へ出力する。
【００５１】
フィルタ回路２７は、第１のインダクタＬ１とキャパシタＣ１とが直列接続することで構成されたＬＣ直列共振回路である。フィルタ回路２７は、受信フィルタ２５とＬＮＡ２８との間に接続されている。具体的には、フィルタ回路２７の一方端２７ａは、整合回路２６とＬＮＡ２８との間に位置する接続点ｃｐに接続され、他方端２７ｂはグランドに接続されている。また、フィルタ回路２７の一方端２７ａとＬＮＡ２８の入力端子２８ａとの間には、他の電気素子が存在せず、フィルタ回路２７の一方端２７ａは、ＬＮＡ２８の入力端子２８ａに直接接続されている。
【００５２】
本実施の形態のフィルタ回路２７は、ＬＮＡ２８に入力される信号のうち、送信周波数帯域の中心周波数Ｆ１と受信周波数帯域の中心周波数Ｆ２との差を示す差周波数ΔＦ（ΔＦ＝｜Ｆ２−Ｆ１｜）の信号を減衰させる。また、フィルタ回路２７は、受信フィルタ２５から出力された信号のうち、差周波数ΔＦ以外の周波数帯域に存在する受信信号Ｒ１および漏洩信号Ｔ１ａなどを通過させる。
【００５３】
図４は、高周波フロントエンド回路１における周波数スペクトルを示す模式図である。
【００５４】
図４の（ａ）は、送信フィルタ１５の出力側の定点ａにて検出される周波数スペクトルである。図２の（ａ）と同様に、定点ａでは、送信信号Ｔ１とブロードノイズＮ１と低周波ノイズＮ２とが検出される。
【００５５】
図４の（ｂ）は、受信フィルタ２５とＬＮＡ２８との間であり、かつ、フィルタ回路２７が接続される接続点ｃｐとＬＮＡ２８との間の定点ｂにて検出される周波数スペクトルを示している。上記定点ｂでは、前述した受信信号Ｒ１、漏洩信号Ｔ１ａ、ブロードノイズＮ１および低周波ノイズＮ２が検出される。ただし、低周波ノイズＮ２のうち、差周波数ΔＦの信号はフィルタ回路２７によって減衰されている。これら受信信号Ｒ１、漏洩信号Ｔ１ａおよびブロードノイズＮ１は、ＬＮＡ２８に入力され、また、低周波ノイズＮ２は、一部が減衰された状態でＬＮＡ２８に入力される。
【００５６】
図４の（ｃ）は、ＬＮＡ２８の出力側であって、ＬＮＡ２８とＲＦＩＣ３との間の定点ｃにて検出される周波数スペクトルである。定点ｃでは、ＬＮＡ２８によって増幅された受信信号Ｒ１、漏洩信号Ｔ１ａ、ならびに、低周波ノイズＮ２およびブロードノイズＮ１が検出される。さらに、ＬＮＡ２８の出力側には、低周波ノイズＮ２および漏洩信号Ｔ１ａを起因とする相互変調歪ＩＭＤが検出される。ただし、本実施の形態では、ＬＮＡ２８に入力される低周波ノイズＮ２のうち、差周波数ΔＦの信号がフィルタ回路２７によって予め減衰されている。これにより、ＬＮＡ２８から出力される相互変調歪ＩＭＤのうち、受信信号Ｒ１の周波数と重なる相互変調歪ＩＭＤの振幅を小さくし、受信信号Ｒ１に相互変調歪ＩＭＤが重畳することを抑制している。
【００５７】
ここで、図５を参照しつつ、差周波数ΔＦおよび相互変調歪ＩＭＤなどの関係について説明する。図５は、高周波フロントエンド回路１における低周波ノイズＮ２、相互変調歪ＩＭＤおよび差周波数ΔＦ（ΔＦ＝｜Ｆ２−Ｆ１｜）の関係の一例を示す模式図である。
【００５８】
例えば図５の（ａ）には、ＬＮＡ２８に、周波数ｆ１の低周波ノイズＮ２と周波数ｆ２の漏洩信号Ｔ１ａとが入力され、その結果、ＬＮＡ２８の出力側に周波数（ｆ１＋ｆ２）からなる２次の相互変調歪ＩＭＤが発生する様子が示されている。また、図５の（ｂ）には、送信信号Ｔ１、受信信号Ｒ１および差周波数ΔＦの関係が示されている。なお、低周波ノイズＮ２における周波数ｆ１は一例であり、実際には周波数ｆ１は幅広い帯域で存在し、２次の相互変調歪の周波数（ｆ１＋ｆ２）も幅広い帯域で存在する。
【００５９】
本実施の形態の高周波フロントエンド回路１は、図５の（ａ）および（ｂ）に示すように、相互変調歪ＩＭＤの周波数（ｆ１＋ｆ２）と受信信号Ｒ１の中心周波数Ｆ２とが一致する関係を有する。また、漏洩信号Ｔ１ａおよび送信信号Ｔ１のそれぞれの周波数は同じである。そのため、Ｆ２−Ｆ１の式から求められる差周波数ΔＦは、（ｆ１＋ｆ２）−ｆ２の式から求められる低周波ノイズＮ２の周波数ｆ１と一致する。
【００６０】
これらの関係により、ＬＮＡ２８に入力される信号のうちの差周波数ΔＦの信号を減衰し、周波数ｆ１の低周波ノイズＮ２の振幅を小さくすることができれば、ＬＮＡ２８に入力される周波数ｆ１の低周波ノイズＮ２が小さくなり、受信信号Ｒ１に重なる相互変調歪ＩＭＤを小さくすることができる。本実施の形態では、フィルタ回路２７を用いて、ＬＮＡ２８に入力される信号のうちの差周波数ΔＦの信号を減衰し、ＬＮＡ２８から出力される相互変調歪（受信信号Ｒ１と重なる相互変調歪）を低減している。
【００６１】
すなわち、本実施の形態に係る高周波フロントエンド回路１は、送信回路１０と受信回路２０とを備え、同時に送受信を行う高周波フロントエンド回路１であって、送信回路１０は、送信周波数帯域の信号を通過させる送信フィルタ１５を備え、受信回路２０は、送信周波数帯域と異なる受信周波数帯域の信号を通過させる受信フィルタ２５と、受信フィルタ２５から出力された信号を入力して増幅するＬＮＡ２８と、受信フィルタ２５とＬＮＡ２８との間に接続されたフィルタ回路２７とを備える。そして、フィルタ回路２７は、ＬＮＡ２８に入力される信号のうち、送信周波数帯域の中心周波数Ｆ１と受信周波数帯域の中心周波数Ｆ２との差を示す周波数（差周波数ΔＦ）の信号を減衰させる。
【００６２】
このように、ＬＮＡ２８に入力される信号のうち差周波数ΔＦの信号を減衰させることで、ＬＮＡ２８から出力される相互変調歪ＩＭＤの一部を低減することができる。これにより、受信信号Ｒ１に相互変調歪ＩＭＤが重なることを抑制し、高周波フロントエンド回路１における受信感度の低下を抑制することができる。
【００６３】
また、特許文献１に記載されている高周波フロントエンド回路では、帯域阻止フィルタを用いて送信周波数帯域の信号を阻止しているが、その際に送信周波数帯域の近くに存在する受信信号も減衰させるという問題がある。本実施の形態の高周波フロントエンド回路１では、送信周波数帯域の信号を阻止するのではなく、ＬＮＡ２８に入力される低周波ノイズＮ２の一部を減衰させることで、ＬＮＡ２８から出力される不要波（受信信号Ｒ１と重なる相互変調歪）を低減している。そのため、特許文献１に記載された高周波フロントエンド回路に比べて、受信感度が低下することを抑制することができる。
【００６４】
（変形例１）
図６は、実施の形態の変形例１に係る高周波フロントエンド回路１Ａの機能ブロック構成図である。高周波フロントエンド回路１Ａでは、フィルタ回路２７が、受信フィルタ２５とＬＮＡ２８との間の経路に直列挿入された状態となっている。
【００６５】
フィルタ回路２７は、第１のインダクタＬ１とキャパシタＣ１とが並列接続されたＬＣ共振回路である。フィルタ回路２７の一方端２７ａは整合回路２６の出力側に接続され、他方端２７ｂはＬＮＡ２８の入力端子２８ａに接続されている。
【００６６】
変形例１に係る高周波フロントエンド回路１Ａでも、ＬＮＡ２８に入力される信号のうち差周波数ΔＦの信号を減衰させることで、ＬＮＡ２８から出力される相互変調歪ＩＭＤの一部を低減することができる。これにより、受信信号Ｒ１に相互変調歪ＩＭＤが重なることを抑制し、高周波フロントエンド回路１Ａにおける受信感度の低下を抑制することができる。
【００６７】
（その他の形態など）
以上、本発明の実施の形態に係る高周波フロントエンド回路１、１Ａについて説明したが、本発明は、上記実施の形態には限定されない。例えば上記実施の形態に次のような変形を施した態様も、本発明に含まれ得る。
【００６８】
本実施の形態では、フィルタ回路２７が整合回路２６とＬＮＡ２８との間に接続されているが、それに限られず、フィルタ回路２７は、受信フィルタ２５と整合回路２６との間に接続されていてもよい。すなわち、フィルタ回路２７は、受信フィルタ２５とＬＮＡ２８との間に接続されていればよい。
【００６９】
また、フィルタ回路２７の第１のインダクタＬ１および整合回路２６の第２のインダクタのそれぞれは、巻回軸を有するコイル状のインダクタであってもよい。第１のインダクタＬ１および第２のインダクタは、それぞれの巻回軸が交差するように、高周波フロントエンド回路１を構成する回路基板に設けられていてもよい。
【００７０】
また、高周波フロントエンド回路１、１Ａは、ＬＴＥ規格以外の規格（例えばＷ−ＣＤＭＡ規格）で信号を送受信する送信回路および受信回路を備えてもよい。また、送信フィルタおよび受信フィルタは、ＳＡＷフィルタに限られず、ＢＡＷ（Bulk  Acoustic  Wave）フィルタであってもよい。
【００７１】
送信フィルタまたは受信フィルタがＳＡＷフィルタである場合、送信フィルタまたは受信フィルタは、基板とＩＤＴ（Ｉｎｔｅｒｄｉｇｉｔａｌ  ｔｒａｎｓｄｕｃｅｒ）電極とを備えている。基板は、少なくとも表面に圧電性を有する基板である。例えば、表面に圧電薄膜を備え、当該圧電薄膜と音速の異なる膜、および支持基板などの積層体で構成されていてもよい。また、基板は、基板全体に圧電性を有していても良い。この場合、基板は、圧電体層一層からなる圧電基板である。
【００７２】
また、高周波フロントエンド回路１、１Ａは、積層基板で構成されてもよい。この場合、例えば、フィルタ回路２７の全部、またはその一部の回路素子が積層基板内に形成されていてもよい。これにより、送信信号の漏洩成分を効果的に低減させるとともに、回路素子配置のレイアウトの自由度を向上させ、小型化を図ることができる。
【００７３】
また、受信回路２０の受信周波数帯域は、送信回路１０の送信周波数帯域よりも低く設定されてもよい。また、使用周波数帯域は、Ｂａｎｄ１７に限られず、例えばＢａｎd１３、Ｂａｎｄ１４、Ｂａｎｄ２０等であってもよい。
【産業上の利用可能性】
【００７４】
本発明は、受信感度の低下を抑制する高周波フロントエンド回路として、携帯電話および基地局などの通信機器に広く利用できる。
【符号の説明】
【００７５】
１、１Ａ  高周波フロントエンド回路
２      アンテナ素子
３      ＲＦ信号処理回路
４      ベースバンド信号処理回路
５      アンテナスイッチ
９      通信装置
１０    送信回路
１１    電力増幅器（ＰＡ）
１２    バンドスイッチ
１５    送信フィルタ
２０    受信回路
２５    受信フィルタ
２６    整合回路
２７    フィルタ回路
２７ａ  一方端
２７ｂ  他方端
２８    低雑音増幅器（ＬＮＡ）
２８ａ  入力端子
ａ、ｂ、ｃ  定点
Ｃ１    キャパシタ
ｃｐ    接続点
Ｆ１    送信周波数帯域の中心周波数
Ｆ２    受信周波数帯域の中心周波数
ΔＦ    差周波数
ＩＭＤ  相互変調歪
Ｌ１    第１のインダクタ
Ｎ１    ブロードノイズ
Ｎ２    低周波ノイズ
Ｒ１    受信信号
Ｔ１    送信信号
Ｔ１ａ  漏洩信号
【図１】
2019029700.tif 000003
【図２】
2019029700.tif 000004
【図３】
2019029700.tif 000005
【図４】
2019029700.tif 000006
【図５】
2019029700.tif 000007
【図６】
2019029700.tif 000008